(57)【要約】【課題】  ＬＥＤを実装するＬＥＤ用フレキシブル基板を、シンプルで、かつ、安価に製作できる液晶表示装置を提供することを目的とする。【解決手段】  ＬＥＤ用フレキシブル基板９は、方形状に形成されたベースフイルム９１の片面に、ＬＥＤ用給電回路９２と、このＬＥＤ用給電回路９２に接続され、ＬＥＤ８が接続されるＬＥＤ用ランド９３と、ＬＥＤ用給電回路９２に接続された端子部９４とを形成し、メインフレキシブル基板６は、ベースフイルム６１の片面に、パネル側接続部６５と、給電回路６２と、この給電回路６２に接続された給電端子部６３とを形成し、端子部９４と、給電端子部６３とを電気的に接続する。【選択図】図１
2009003139.tif 000002
【特許請求の範囲】
【請求項１】
液晶パネルと、この液晶パネルに設けられたパネル端子部に接続されるパネル側接続部を有するメインフレキシブル基板と、前記液晶パネルの背面に配置される導光板と、この導光板を介して前記液晶パネルに向けて光を照射するＬＥＤと、このＬＥＤを実装してなるＬＥＤ用フレキシブル基板とを備え、前記ＬＥＤ用フレキシブル基板は、前記ＬＥＤに電力を給電するためのＬＥＤ用給電回路を有し、このＬＥＤ用給電回路を、前記メインフレキシブル基板に設けられた給電回路に接続するようにした液晶表示装置において、
前記ＬＥＤ用フレキシブル基板は、方形状に形成されたベースフイルムの片面に、前記ＬＥＤ用給電回路と、このＬＥＤ用給電回路に接続され、前記ＬＥＤが接続されるＬＥＤ用ランドと、前記ＬＥＤ用給電回路に接続された端子部とを形成し、前記メインフレキシブル基板は、ベースフイルムの片面に、前記パネル側接続部と、前記給電回路と、この給電回路に接続された給電端子部とを形成し、前記端子部と、給電端子部とを電気的に接続したことを特徴とする液晶表示装置。
【請求項２】
前記パネル端子部は、前記液晶パネルの表面の一辺に設けられているとともに、前記メインフレキシブル基板は、Ｌ字状に形成されたベースフイルムからなり、このベースフイルムの長辺に前記給電端子部と、その先端に基板側接続部を、前記ベースフイルムの短辺の先端に前記パネル側接続部をそれぞれ形成され、前記ＬＥＤ用フレキシブル基板は、前記液晶パネルの裏面側で、かつ、前記パネル端子部と同じ一辺側に配設され、前記メインフレキシブル基板の前記短辺を折り曲げて、前記給電端子部と、前記端子部とを、圧着接続したことを特徴とする請求項１に記載の液晶表示装置。
【発明の詳細な説明】
【技術分野】
【０００１】
本発明は、液晶表示装置に関し、特に、液晶パネルのバックライト用光源として用いられるＬＥＤ（発光ダイオード）を実装するＬＥＤ用フレキシブル基板を、シンプルで、かつ、安価に製作できるようにしたものである。
【背景技術】
【０００２】
例えば、プリンタ、カメラ、携帯電話などの電子機器の表示装置として、需要が増大しつつある液晶表示装置にあっては、液晶パネルを駆動制御するために、駆動制御手段が搭載された駆動制御回路基板とを接続する必要がある。また、液晶パネルの背面には、導光板を配置し、この導光板を介してＬＥＤの光を液晶パネルに向けて照射するようにしている。このためＬＥＤに電力を給電するための給電回路が必要である。
【０００３】
このような液晶表示装置では、例えば、図８乃至図１０に示すように、液晶パネル１０５と図示しない駆動制御回路基板とを、信号伝送回路および給電回路を有するメインフレキシブル基板１０６を介して接続している。また、導光板１０７を介して液晶パネル１０５に向けて光を照射するＬＥＤ１０８には、ＬＥＤ１０８が実装されたＴ字形状のＬＥＤ用フレキシブル基板１０９を、メインフレキシブル基板１０６に形成された給電回路１０６ａに接続して給電するようにしていた。
【０００４】
ところが、このような構成では、ＬＥＤ用フレキシブル基板１０９を形成するためのベースフイルムの形状がＴ字形状であることから、原材料のフイルムシートからの切り出しに無駄となる部分が多くなる。また、ＬＥＤ用フレキシブル基板１０９は、その一方の面にＬＥＤ１０８を実装するためのＬＥＤ用ランド１０９ａを、他方の面にメインフレキシブル基板１０６に形成された給電回路１０６ａに接続するための端子部１０９ｂを、それぞれ形成する必要がある。即ち、ＬＥＤ用フレキシブル基板１０９は、ベースフイルムの両面にパターンなどを形成した、所謂２層構造のフレキシブル基板として製作する必要がある。この結果、ＬＥＤ用フレキシブル基板１０９の製作工程が煩雑となる他、勢い、高価なものとなるといった問題があった。
【０００５】
また、従来では、例えば、液晶パネルと制御回路基板とを接続するフレキシブル基板を、複数の股状に分岐した形状に形成し、このフレキシブル基板にＬＥＤを実装するようにしたものがある(例えば、特許文献１)。また、同様に、枝分かれしたフレキシブル基板に、ＬＥＤを実装するようにしたものがある(特許文献２参照)。更には、複雑な変形Ｌ字形状に形成したフレキシブル基板に、ＬＥＤを実装するようにしたものがある(特許文献３参照）。
【特許文献１】特開２００２−２３１０３３号公報
【特許文献２】特開２００４−２５８０６０号公報
【特許文献３】特開２００４−１７７８７６号公報
【発明の開示】
【発明が解決しようとする課題】
【０００６】
しかし、前述の特許文献１乃至特許文献３記載の構成では、何れも液晶パネルと制御回路基板とを接続するフレキシブル基板に、ＬＥＤを実装しているため、フレキシブル基板を構成するベースフイルムの形状が複雑となる。この結果、原材料のフイルムシートからの切り出しに無駄となる部分が多くなり、勢い、価格が高騰するとともに、省資源の観点からも好ましくないなどいった問題があった。
【０００７】
本発明は、上述した問題を解決するためになされたものであり、ＬＥＤを実装するＬＥＤ用フレキシブル基板を、シンプルで、かつ、安価に製作できる液晶表示装置を提供することを目的とする。
【課題を解決するための手段】
【０００８】
かかる目的を達成するため、本発明では液晶パネルと、液晶パネルと、この液晶パネルに設けられたパネル端子部に接続されるパネル側接続部を有するメインフレキシブル基板と、液晶パネルの背面に配置される導光板と、この導光板を介して液晶パネルに向けて光を照射するＬＥＤと、このＬＥＤを実装してなるＬＥＤ用フレキシブル基板とを備え、ＬＥＤ用フレキシブル基板は、ＬＥＤに電力を給電するためのＬＥＤ用給電回路を有し、このＬＥＤ用給電回路を、メインフレキシブル基板に設けられた給電回路に接続するようにした液晶表示装置において、ＬＥＤ用フレキシブル基板は、方形状に形成されたベースフイルムの片面に、ＬＥＤ用給電回路と、このＬＥＤ用給電回路に接続され、ＬＥＤが接続されるＬＥＤ用ランドと、ＬＥＤ用給電回路に接続された端子部とを形成し、メインフレキシブル基板は、ベースフイルムの片面に、パネル側接続部と、給電回路と、この給電回路に接続された給電端子部とを形成し、端子部と、給電端子部とを電気的に接続する。
【０００９】
この構成によれば、ＬＥＤ用フレキシブル基板は、ベースフイルムの形状が極めてシンプルな方形状に形成されているので、原材料のフイルムシートからの切り出しに無駄が少ない。また、ＬＥＤ用給電回路と、このＬＥＤ用給電回路に接続され、ＬＥＤが接続されるＬＥＤ用ランドと、ＬＥＤ用給電回路に接続された端子部とは、方形状に形成されたベースフイルムの片面にのみ形成され、所謂１層構造のフレキシブル基板として製作することができる。この結果、ＬＥＤ用フレキシブル基板の製作工程は、簡略化でき、これらが相俟ってこの種液晶表示装置を安価にすることができる。
【００１０】
更に、本発明においては、パネル端子部は、液晶パネルの表面の一辺に設けられているとともに、メインフレキシブル基板は、Ｌ字状に形成されたベースフイルムからなり、このベースフイルムの長辺に給電端子部と、その先端に基板側接続部を、ベースフイルムの短辺の先端にパネル側接続部をそれぞれ形成され、ＬＥＤ用フレキシブル基板は、液晶パネルの裏面側で、かつ、パネル端子部と同じ一辺側に配設され、メインフレキシブル基板の短辺を折り曲げて、給電端子部と、端子部とを、圧着接続する。
【００１１】
この構成によれば、メインフレキシブル基板は、Ｌ字状に形成され、その長辺に給電端子部を、その先端に基板側接続部を、また、短辺の先端にパネル側接続部を形成している。従って、液晶パネルのパネル端子部が設けられた一辺と同じ方向に基板側接続部を配設することができ、当該方向において駆動制御回路基板との接続ができるので、都合がよい。また、メインフレキシブル基板の長辺において、給電端子部と、端子部とが圧着接続されているので、寸法的に余裕がり、圧着作業などが行い易く、都合がよい。
【発明の効果】
【００１２】
本発明によれば、ＬＥＤを実装するＬＥＤ用フレキシブル基板を、シンプルで、かつ、安価に製作できる液晶表示装置を得ることができる。
【発明を実施するための最良の形態】
【００１３】
以下、本発明の一実施形態を図１乃至図７に基づいて説明する。図１は、本発明の一実施形態に係る液晶表示装置を用いたフォトダイレクトプリンタ（以下、ＰＤプリンタという）とデジタルスチルカメラ（以下、ＤＳＣという）の外観図である。図２は、図１に示すＰＤプリンタの液晶表示装置の要部を示す斜視図、図３は、図２に示す液晶表示装置を背面側から見た斜視図、図４は、図２に示す液晶表示装置の平面図、図５は、図２に示す液晶表示装置の要部断面図である。図６は、メインフレキシブル基板の一例を示す平面図、図７は、ＬＥＤ用フレキシブル基板とＬＥＤとの関係を示す斜視図である。
【００１４】
図１に示すＰＤプリンタ１は、ＤＳＣ２からデジタル静止画像を直接受信してプリントする。ＰＤプリンタ１と、ＤＳＣ２は、ＵＳＢ（Universal Serial Bus）ケーブル３を介して接続されて、ダイレクトプリントシステムを構成している。このダイレクトプリントシステムでは、ピクトブリッジ(PictBridge：デジタルカメラとプリンタを直接接続して印刷するための通信規格)を用いてＤＳＣ２からＰＤプリンタ１へのダイレクトプリントを実現している。ＰＤプリンタ１には、写真印字用の用紙を載置するための給紙トレイ１１と、印字済みの用紙を積載するための排出トレイ１２と、印刷レイアウト情報や各種のメッセージなどを表示するための液晶表示装置４と、各種の操作を行うための操作パネル１３（指示入力手段）とが配設されている。また、ＤＳＣ２の背面側には、液晶モニタとしての液晶表示装置４０と、各種の操作を行うための操作部２１とが配されており、ＤＳＣ２の上端部には、シャッタ２２が設けられている。液晶表示装置４０には、その時点で図示しないＣＣＤに入射する光の像や、撮影済みのデジタル静止画像や、分割印刷（複数の分割画像の１枚の用紙への印刷）時に印刷対象となる画像を選択するための選択画面２３が表示される。図に示されるように、選択画面２３は、複数の撮影画像２４をサムネイルサイズで一覧表示した画面である。
【００１５】
かかる構成により、ユーザは、例えば、ＤＳＣ２側から、１枚の用紙に６つの分割画像を印刷するためのレイアウトで分割印刷する旨の指示入力を操作部２１により行うと、ＤＳＣ２側の図示しないマイクロプロセッサは、複数の撮影画像２４を含む選択画面２３を液晶表示装置４０上に表示する。この状態で、ユーザが、操作部２１を用いて、選択画面２３上に表示されている撮影画像２４の中から分割印刷用の画像（以下、分割画像という）を選択し、これらの分割画像２４の出力を指示すると、マイクロプロセッサは、６分割印刷を行う旨の印刷信号を、ＵＳＢケーブル３を介してＰＤプリンタ１に送信する。
【００１６】
ＰＤプリンタ１側の図示しないマイクロプロセッサは、印刷信号をＤＳＣ２から受信すると、受信したコマンドをＰＤプリンタ１側のデコーダを用いてデコードする。そして、ＰＤプリンタ１が印刷状態に入ったことをＤＳＣ２に通知する。次に、ＰＤプリンタ１側のマイクロプロセッサは、ＤＳＣ２から受信した順番に並べた印刷レイアウト情報を作成して、作成した印刷レイアウト情報を液晶表示装置４に表示してユーザに通知する。そして、ユーザが、操作パネル１３を用いて、その時点で液晶表示装置４に表示されている印刷レイアウト情報をそのまま使用してプリントの実行を行う旨の指示入力（以下、決定の指示入力という）、またはその時点で液晶表示装置４に表示されている印刷レイアウト情報の並びの順番および/または向きの変更の指示入力を行うと、ＰＤプリンタ１側のマイクロプロセッサは、指示入力の内容に応じた処理を行う。そして、マイクロプロセッサは、処理で変更または確定された印刷レイアウト情報に基づいて分割印刷の出力処理を開始して、プリントを開始し、プリント済みの用紙を排出トレイ１２に排出して印刷を終える。これにより、ユーザは、簡単に所望の撮影画像２４の印刷を行うことができる。
【００１７】
而して、本発明に従い、例えば、ＰＤプリンタ１の液晶表示装置４は、図２乃至図５に示すように、印刷レイアウト情報や各種のメッセージなどを表示するための液晶パネル５と、この液晶パネル５の表面（図５において下側）の一辺に設けられたパネル端子部５１に接続されるメインフレキシブル基板６と、液晶パネル５の背面に配置される導光板７と、この導光板４１を介して液晶パネル５に向けて光を照射するＬＥＤ８と、このＬＥＤ６を実装してなるＬＥＤ用フレキシブル基板９と、必要に応じて、図示しない拡散シートや、反射シートなどを備えている。
【００１８】
メインフレキシブル基板６は、例えば、図６に示すように、Ｌ字状に形成された可撓性を有するベースフイルム６１からなり、このベースフイルム６１の、例えば、長辺６１ａに給電回路６２およびこの給電回路６２に接続された給電端子部６３と、その先端に基板側接続部６４が、また、ベースフイルム６１の短辺６１ｂの先端にパネル側接続部６５が、それぞれ形成されている。そして、メインフレキシブル基板６のパネル側接続部６５は、液晶パネル５のパネル端子部５１に、基板側接続部６４は、図示しない、液晶パネル５を駆動制御する駆動制御手段が実装された駆動制御回路基板のコネクタに、それぞれ接続されている。
【００１９】
また、ＬＥＤ用フレキシブル基板９は、図７に示すように、方形状に形成された可撓性を有するベースフイルム９１の片面に、ＬＥＤ８に電力を給電するためのＬＥＤ用給電回路９２と、このＬＥＤ用給電回路９２に接続され、ＬＥＤ８が接続されるＬＥＤ用ランド９３と、ＬＥＤ用給電回路９２に接続された端子部９４とが形成されている。ＬＥＤ用フレキシブル基板７は、液晶パネル５の裏面側で、かつ、パネル端子部５１と同じ一辺側に配設されている。そして、ＬＥＤ用給電回路９２を、メインフレキシブル基板６に設けられた給電回路６２に接続するには、図２および図５に示すように、メインフレキシブル基板６の短辺６１ｂを折り曲げる。その後、給電端子部６３と、端子部９４とを、圧着接続する。これにより、ＬＥＤ８は、メインフレキシブル基板６に形成された給電回路６２、給電端子部６３、ＬＥＤ用フレキシブル基板９の端子部９４、ＬＥＤ用給電回路９２およびＬＥＤ用ランド９３を介して所定の電力が給電され発光し、バックライト光源として機能する。なお、各図に示すメインフレキシブル基板６およびＬＥＤ用フレキシブル基板９において、前述の液晶パネル５を駆動制御するための信号を伝達する駆動制御回路や、絶縁層などの記載は、省略してある。
【００２０】
以上の構成による本実施形態によれば、ＬＥＤ用フレキシブル基板９は、ベースフイルム９１の形状が極めてシンプルな方形状に形成されているので、原材料のフイルムシートからの切り出しに無駄が少ない。また、ＬＥＤ用給電回路９２と、このＬＥＤ用給電回路９２に接続され、ＬＥＤ８が接続されるＬＥＤ用ランド９３と、ＬＥＤ用給電回路９２に接続された端子部９４とは、方形状に形成されたベースフイルム９１の片面にのみ形成され、所謂１層構造のフレキシブル基板として製作することができる。この結果、ＬＥＤ用フレキシブル基板９の製作工程は、簡略化でき、これらが相俟ってこの種液晶表示装置４を安価にすることができる。
【００２１】
更に、本実施形態によれば、メインフレキシブル基板６は、Ｌ字状に形成され、その長辺６１ａに給電端子部６３を、その先端に基板側接続部６４を、また、短辺６１ｂの先端にパネル側接続部６５を形成している。従って、液晶パネル５のパネル端子部５１が設けられた一辺と同じ方向に基板側接続部６４を配設することができ、当該方向において、図示しない駆動制御回路基板との接続ができるので、都合がよい。また、メインフレキシブル基板６の長辺６１ａにおいて、給電端子部６３と、端子部９４とが圧着接続されているので、寸法的に余裕がり、圧着作業などが行い易く、都合がよい。
【００２２】
なお、上述した実施形態は、本発明の好適な実施例であるが、本発明はこれに限定されるものではなく、本発明の要旨を逸脱しない範囲において、種々変形実施可能である。
【００２３】
例えば、上述した実施形態では、液晶表示装置４として、ＰＤプリンタ１の印刷レイアウト情報や各種のメッセージなどを表示する表示装置に適用した場合について詳述したが、例えば、上述したＤＳＣ２のＣＣＤに入射する光の像や、撮影済みのデジタル静止画像や、分割印刷時に印刷対象となる画像を選択するための選択画面などをモニタする液晶モニタとしての液晶表示装置４０に適用してもよいのは、勿論である。更に、他の電子機器の表示装置として適用してもよいのは、勿論である。
【図面の簡単な説明】
【００２４】
【図１】本発明の一実施形態に係る液晶表示装置を用いたＰＤプリンタとＤＳＣの外観図である。
【図２】図１に示すＰＤプリンタの液晶表示装置の要部を示す斜視図である。
【図３】図２に示す液晶表示装置を背面側から見た斜視図である。
【図４】図２に示す液晶表示装置の平面図である。
【図５】図２に示す液晶表示装置の要部断面図である。
【図６】メインフレキシブル基板の一例を示す平面図である。
【図７】ＬＥＤ用フレキシブル基板とＬＥＤとの関係を示す斜視図である。
【図８】従来の液晶表示装置の要部を示す背面図である。
【図９】図８の要部断面図である。
【図１０】従来のＬＥＤ用フレキシブル基板を説明するための概念図である。
【符号の説明】
【００２５】
４      液晶表示装置
５      液晶パネル
５１    パネル端子部
６      メインフレキシブル基板
６１    ベースフイルム
６１ａ  長辺
６１ｂ  短辺
６２    給電回路
６３    給電端子部
６４    基板側接続部
６５    パネル側接続部
７      導光板
８      ＬＥＤ
９      ＬＥＤ用フレキシブル基板
９１    ベースフイルム
９２    ＬＥＤ用給電回路
９３    ＬＥＤ用ランド
９４    端子部
【図１】
2009003139.tif 000003
【図２】
2009003139.tif 000004
【図３】
2009003139.tif 000005
【図４】
2009003139.tif 000006
【図５】
2009003139.tif 000007
【図６】
2009003139.tif 000008
【図７】
2009003139.tif 000009
【図８】
2009003139.tif 000010
【図９】
2009003139.tif 000011
【図１０】
2009003139.tif 000012